(57)【特許請求の範囲】
【請求項１】
底板と、その底板の周囲に設けられた外周壁と、前記底板の前記外周壁によって囲まれた内部底面上に突設された円筒壁とを有し、前記外周壁の内周面は前記円筒壁と同心の円筒面とされ、前記内周面と前記円筒壁との間の前記内部底面に接点電極が形成されているケースと、
円筒部と、その円筒部の外周に設けられたフランジとを有し、前記円筒部が前記円筒壁の外周に嵌め込まれて回転自在とされた回転体と、
前記フランジに取り付けられ、前記接点電極と摺接して前記接点電極とでスイッチを構成する接点ブラシと、
前記ケースに装着されて前記フランジを抜け止めするカバーと、
中点復帰用のコイルバネとを具備し、
前記円筒部の外面に突部が突設され、その突部を挟んで前記内周面の周方向２箇所に突出壁が設けられ、
前記コイルバネは第１コイル部と第２コイル部とが連結部を介して連結された形状とされ、
前記突部と前記２箇所の突出壁との各間に前記第１コイル部及び第２コイル部が圧縮された状態でそれぞれ保持され、前記連結部は前記突部と前記内部底面との間に位置していることを特徴とする回転スイッチ。
【請求項２】
底板と、その底板の周囲に設けられた外周壁と、前記底板の前記外周壁によって囲まれた内部底面上に突設された円筒壁とを有し、前記外周壁の内周面は前記円筒壁と同心の円筒面とされ、前記内周面と前記円筒壁との間の前記内部底面に接点電極が形成されているケースと、
円筒部と、その円筒部の外周に設けられたフランジとを有し、前記円筒部が前記円筒壁の外周に嵌め込まれて回転自在とされた回転体と、
前記フランジに取り付けられ、前記接点電極と摺接して前記接点電極とでスイッチを構成する接点ブラシと、
前記ケースに装着されて前記フランジを抜け止めするカバーと、
中点復帰用のコイルバネとを具備し、
前記内周面に突部が突設され、その突部を挟んで前記円筒部の外周面の周方向２箇所に突出壁が設けられ、
前記コイルバネは第１コイル部と第２コイル部とが連結部を介して連結された形状とされ、
前記突部と前記２箇所の突出壁との各間に前記第１コイル部及び第２コイル部が圧縮された状態でそれぞれ保持され、前記連結部は前記突部と前記内部底面との間に位置していることを特徴とする回転スイッチ。
【請求項３】
請求項１又は２記載の回転スイッチにおいて、
前記コイルバネは前記突出壁に固定されていないことを特徴とする回転スイッチ。
【発明の詳細な説明】
【技術分野】
【０００１】
この発明は回転操作される回転スイッチに関し、特に中点復帰式の回転スイッチに関する。
【背景技術】
【０００２】
特許文献１にはこの種の中点復帰式回転スイッチとプッシュスイッチとを併有した複合操作型スイッチが記載されている。図１５はこの特許文献１に記載されている複合操作型スイッチの分解斜視図を示したものである。
【０００３】
上方に開口を有するケース１１には中央部に円筒壁１１ａが設けられており、円筒壁１１ａ内には中央接点１２ａと周辺接点１２ｂからなる第１接点１２が配設され、その外側にはコモン接点１３ａと信号用接点１３ｂ，１３ｃ（信号用接点１３ｃは図では見えない）からなる回転スイッチ用の第２接点１３が配設されている。
【０００４】
円筒壁１１ａ内にはドーム形状の可動接点１４が配され、この可動接点１４上に駆動体１５が配されてプッシュスイッチが構成される。
【０００５】
ケース１１にはバネ取り付け部１６が形成されており、このバネ取り付け部１６にコイルバネ１７が配される。図１６Ｂはバネ取り付け部１６にコイルバネ１７が配された状態を示したものである。バネ取り付け部１６は二つの円弧状部１６ａ，１６ｂを有し、各円弧状部１６ａ，１６ｂの両端それぞれは鉤状の係止部１６ｃ，１６ｄ，１６ｅ，１６ｆが対向してコイルバネ１７の両端を係止保持している。
【０００６】
回転体１８は孔１８ａを中央部に有する円環状とされ、その下面には第２接点１３上を摺動する摺動子１９が取り付けられる。回転体１８は孔１８ａが円筒壁１１ａに外嵌されて回転自在にケース１１に支持される。回転体１８にはその外周に操作突部１８ｂが突設されており、操作突部１８ｂはケース１１の外周壁１１ｂに設けられた切り欠き部１１ｃから外側に突出される。
【０００７】
回転体１８の下面には図１６Ａに示したようにバネ取り付け部１６に配されたコイルバネ１７の両端に対応する二箇所の位置にコイルバネ１７を圧縮するための突起１８ｃが立設されており、この一対の突起１８ｃはバネ取り付け部１６の係止部１６ｃと１６ｅの間、１６ｄと１６ｆの間にそれぞれ位置してコイルバネ１７の両端に当接される。これら突起１８ｃにコイルバネ１７からのバネ圧力が均等に加わることにより、回転体１８は回転操作範囲の中央位置で維持される。
【０００８】
カバー２０はケース１１の開口上面を覆うようにケース１１に取り付けられ、回転体１８の上方に配される。カバー２０は開口部２０ａを有しており、駆動体１５の操作部１５ａは開口部２０ａから上方に露出される。
【０００９】
上記のような構成を有する複合操作型スイッチにおいては、回転体１８の操作突部１８ｂに回転力を加えると、回転方向とは逆側の突起１８ｃがコイルバネ１７を圧縮しながら回転体１８が回転し、摺動子１９が例えばコモン接点１３ａと信号用接点１３ｂ上に摺動移動してそれら接点間がオン状態となる。
【００１０】
回転力を解除すると、圧縮されていたコイルバネ１７が回転方向とは逆側の突起１８ｃを付勢して回転体１８を元の位置に押し戻し、コモン接点１３ａと信号用接点１３ｂは元のオフ状態となる。このようにコイルバネ１７の突起１８ｃへの付勢力により、回転体１８は中点位置に復帰するものとなっている。
【先行技術文献】
【特許文献】
【００１１】
【特許文献１】特開２００６−３５１２１８号公報
【発明の概要】
【発明が解決しようとする課題】
【００１２】
上述した複合操作型スイッチにおける回転スイッチ部の構成ではコイルバネ１７を用いることにより中点復帰するものとなっているが、コイルバネ１７を配置・固定するためにバネ取り付け部１６を設けているため、その分、スイッチの小型化が阻害されるものとなっていた。具体的に言えば、コイルバネ１７を囲うバネ取り付け部１６の内外周の円弧状部１６ａ，１６ｂの厚さ分、少なくともスイッチは大きくなる。
【００１３】
また、回転体１８に設けられた突起１８ｃがバネ取り付け部１６の周方向両端の係止部１６ｃ・１６ｅ間、１６ｄ・１６ｆ間の隙間を通り抜ける構造となっており、コイルバネ１７を押圧する突起１８ｃは強度上、あまり細くすることはできないため、係止部１６ｃ・１６ｅ間、１６ｄ・１６ｆ間の隙間も狭くすることはできず、かつコイルバネ１７の両端を適切に係止保持するためには係止部１６ｃ，１６ｄ，１６ｅ，１６ｆ自体の幅もあまり小さくすることはできず、これらの点からバネ取り付け部１６の径方向の大きさ（幅）は必然的に大きくなり、この点でもスイッチの小型化が阻害されるものとなっていた。
【００１４】
この発明の目的はこの問題に鑑み、従来より小型化を図ることができる中点復帰式の回転スイッチを提供することにある。
【課題を解決するための手段】
【００１８】
請求項１の発明によれば、回転スイッチは、
底板と、その底板の周囲に設けられた外周壁と、底板の外周壁によって囲まれた内部底面上に突設された円筒壁とを有し、外周壁の内周面は円筒壁と同心の円筒面とされ、前記
内周面と円筒壁との間の内部底面に接点電極が形成されているケースと、
円筒部と、その円筒部の外周に設けられたフランジとを有し、円筒部が前記円筒壁の外周に嵌め込まれて回転自在とされた回転体と、
フランジに取り付けられ、接点電極と摺接して接点電極とでスイッチを構成する接点ブラシと、
ケースに装着されてフランジを抜け止めするカバーと、
中点復帰用のコイルバネとを具備し、
前記円筒部の外面に突部が突設され、その突部を挟んで前記内周面の周方向２箇所に突出壁が設けられ、
コイルバネは第１コイル部と第２コイル部とが連結部を介して連結された形状とされ、
前記突部と前記２箇所の突出壁との各間に第１コイル部及び第２コイル部が圧縮された状態でそれぞれ保持され、連結部は前記突部と前記内部底面との間に位置される。
【００２０】
請求項２の発明によれば、回転スイッチは、
底板と、その底板の周囲に設けられた外周壁と、底板の外周壁によって囲まれた内部底面上に突設された円筒壁とを有し、外周壁の内周面は円筒壁と同心の円筒面とされ、前記内周面と円筒壁との間の内部底面に接点電極が形成されているケースと、
円筒部と、その円筒部の外周に設けられたフランジとを有し、円筒部が前記円筒壁の外周に嵌め込まれて回転自在とされた回転体と、
フランジに取り付けられ、接点電極と摺接して接点電極とでスイッチを構成する接点ブラシと、
ケースに装着されてフランジを抜け止めするカバーと、
中点復帰用のコイルバネとを具備し、
前記内周面に突部が突設され、その突部を挟んで前記円筒部の外周面の周方向２箇所に突出壁が設けられ、
コイルバネは第１コイル部と第２コイル部とが連結部を介して連結された形状とされ、
前記突部と前記２箇所の突出壁との各間に第１コイル部及び第２コイル部が圧縮された状態でそれぞれ保持され、連結部は前記突部と前記内部底面との間に位置される。
【００２１】
請求項３の発明では請求項１又は２の発明において、コイルバネは前記突出壁に固定されていないものとされる。
【発明の効果】
【００２３】
この発明によれば、回転体を中点復帰させるためのコイルバネはケース外周壁と回転体との間に収容される構造となっているため、従来のようにコイルバネを収容するための囲い（バネ取り付け部）は不要であり、よってその分、スイッチの小型化を図ることが可能となる。
【図面の簡単な説明】
【００２４】
【図１】Ａはこの発明による回転スイッチの一実施例を示す平面図、Ｂはその正面図。
【図２】Ａは図１におけるキートップの斜視図、Ｂは図１に示した回転スイッチの本体を示す斜視図。
【図３】図２Ａに示したキートップを底面側から見た斜視図。
【図４】Ａは図２Ｂに示した回転スイッチ本体の平面図、Ｂはその正面図、Ｃはその底面図。
【図５】Ａは図４ＡのＥ−Ｅ線拡大断面図、Ｂは図４ＡのＦ−Ｆ線拡大断面図。
【図６】図２Ｂに示した回転スイッチ本体の分解斜視図（斜め上から見た状態）。
【図７】図２Ｂに示した回転スイッチ本体の分解斜視図（斜め下から見た状態）。
【図８】Ａは図６におけるケースの平面図、ＢはそのＣ−Ｃ線断面図。
【図９】Ａは図６における回転体の正面図、Ｂはその平面図、Ｃはその底面図、Ｄはその右側面図、Ｅはその背面図、ＦはそのＪ−Ｊ線断面図、ＧはそのＫ−Ｋ線断面図。
【図１０】Ａはコイルバネの配置状態を説明するための図、ＢはＡに対し、回転体が中点位置から回転した状態を示す図。
【図１１】Ａは中点位置における接点ブラシと接点電極の位置関係を示す図、Ｂは回転体が回転した場合の接点ブラシと接点電極の位置関係の一例を示す図、Ｃは回転体がＢからさらに回転した場合の接点ブラシと接点電極の位置関係を示す図。
【図１２】Ａは回転体の突部にくさび形状を設けた例を示す正面図、Ｂはその斜視図。
【図１３】Ａは１本のコイルバネを用いる場合の回転体の形状例を示す正面図、Ｂはその斜視図、Ｃはコイルバネの形状例を示す斜視図。
【図１４】Ａは回転体ではなく、ケースに突部を設けた場合の構成を説明するための図、ＢはＡに対し、回転体が中点位置から回転した状態を示す図。
【図１５】中点復帰式の回転スイッチの従来構成例を説明するための図。
【図１６】Ａは図１５における回転体の下面側の構成を説明するための図、Ｂは図１５におけるケースにコイルバネが配置・固定された状態を説明するための図。
【発明を実施するための形態】
【００２５】
この発明の実施形態を図面を参照して実施例により説明する。
【００２６】
図１はこの発明による回転スイッチの一実施例の外観を示したものであり、図２は図１に示した回転スイッチをキートップと本体に分けて示したものである。図３及び図４はキートップ及び本体の構成をそれぞれ示したものであり、図５は本体の断面構造を示したものである。また、図６及び図７は本体を各部に分解して示したものである。
【００２７】
この例では回転スイッチは中央にプッシュスイッチを具備する複合操作型のスイッチとされている。本体は図６及び図７に示したように、ケース３０と回転体４０と接点ブラシ５１とコイルバネ５２とメタルドーム５３とドームシート５４とカバー５５とによって構成されている。また、キートップ６０は図２Ａ等に示したように、回転キー６１とプッシュキー６２とによって構成されている。
【００２８】
まず、本体各部の構成を説明する。
【００２９】
ケース３０は底板３１と、底板３１の周囲に設けられた外周壁３２と、底板３１の外周壁３２によって囲まれた内部底面３１ａ上に突設された円筒壁３３とを有する。外周壁３２はこの例では外形が略八角形をなすものとされ、内周面は円筒壁３３と同心の円筒面とされている。
【００３０】
外周壁３２の内周面と円筒壁３３との間の環状をなす内部底面３１ａには、図８に示したように回転スイッチ用の接点電極７１〜７６が形成されている。接点電極７２は外周側が切り欠かれた円弧形状とされ、この切り欠かれた部分に円弧形状をなす小形の接点電極７３が位置されている。接点電極７４，７５は中心線Ｄ−Ｄに対して接点電極７２，７３と線対称をなすように設けられており、これら接点電極７２〜７５の周方向外側（両側）に円弧形状をなす大形の接点電極７１，７６が設けられている。接点電極７１と７６は中心線Ｄ−Ｄに対して線対称をなすように設けられている。
【００３１】
円筒壁３３で囲まれた内部底面３１ａには１段高い環状の段部３４が円筒壁３３の内周面に続いて形成されており、この段部３４で囲まれた円形の内部底面３１ａにプッシュスイッチ用の接点電極８１〜８３が形成されている。接点電極８１は円形の内部底面３１ａの中央に位置し、この接点電極８１を囲む円周上の４箇所に接点電極８２が等角間隔で設けられている。さらに、４つの接点電極８２の各径方向外側に接点電極８３がそれぞれ設けられている。
【００３２】
一方、外周壁３２の内周面の周方向２箇所にはブロック状をなす突出壁３５が突出形成されており、これら突出壁３５は回転スイッチ用の接点電極７１〜７６の周方向外側に位置し、中心線Ｄ−Ｄに対して線対称をなすように設けられている。なお、接点電極７１〜７６は外周壁３２の内周面と円筒壁３３との間の環状をなす内部底面３１ａの一半部に位置し、２つの突出壁３５は他半部に位置している。
【００３３】
外周壁３２の外側面にはカバー５５を係止するための係止爪３６が４箇所に設けられている。
【００３４】
上記のような形状を有するケース３０は樹脂製とされる。接点電極７１〜７６，８１〜８３はこの例ではインサートされており、各接点電極７１〜７６，８１〜８３から導出された端子Ｔがケース３０の底面周縁部に配列されている。
【００３５】
回転体４０は円筒部４１と、円筒部４１に続くキートップ取り付け部４２と、フランジ４３とを有する。フランジ４３は円筒部４１の、キートップ取り付け部４２側の外周に設けられている。図９は回転体４０の詳細を示したものである。
【００３６】
フランジ４３にはその周方向の一部に切り欠き４４が形成されており、この切り欠き４４の中央に位置するように円筒部４１の外面にブロック状をなす突部４５が突出形成されている。突部４５は周方向に所要の幅を有し、また円筒部４１の軸方向において円筒部４１の先端面からフランジ４３の上面４３ａ位置にまで至る長さを有するものとされている。
【００３７】
フランジ４３の上面４３ａ及びこの上面４３ａと同一面上に位置する突部４５の上面４５ａには突起４６が形成されている。突起４６は突部４５に１つ、フランジ４３に２つ、図９Ａに示したように形成されている。フランジ４３の下面４３ｂには突部４５を挟んで周方向両側に一段低い段部４３ｃが形成されており、この段部４３ｃ部分のフランジ４３は厚さが薄くされている。この段部４３ｃは後述するケース３０に収容されたコイルバネ５２に対する逃げとなる。
【００３８】
フランジ４３の下面４３ｂの、突部４５と１８０°をなす位置には一対のボス４７が突出形成されている。なお、これらボス４７が位置する部分の円筒部４１には切り欠き４１ａが形成されている。
【００３９】
キートップ取り付け部４２は円筒部４１と同心の円筒状をなし、フランジ４３の上面４３ａから所要量突出されている。キートップ取り付け部４２の突出端面４２ａには十字をなすように４つの溝４８が形成されており、さらに周方向において各溝４８間に位置するように４つの凹部４９がキートップ取り付け部４２の内周面４２ｂに軸方向に貫通して形成されている。これら凹部４９の円筒部４１側の部分には一段低い（内周面４２ｂからさらに凹んだ）段部４９ａが形成されている。回転体４０は樹脂製とされる。
【００４０】
カバー５５は金属板を加工して形成され、平板部５５ａと、平板部５５ａの周縁に折り曲げ形成された係止片５５ｂ及び位置決め片５５ｃ，５５ｄとを有する。平板部５５ａはケース３０の略八角形をなす外周壁３２の外形に対応して略八角形の形状をなし、その中央には円形の開口５５ｅが形成されている。
【００４１】
係止片５５ｂは八角形の一つおきの四辺に平板部５５ａから９０°折り曲げられて形成されており、これら係止片５５ｂには係止窓５５ｆが設けられている。位置決め片５５ｃは係止片５５ｂが設けられていない他の三辺に各一対設けられており、残る一辺に位置決め片５５ｃより長い位置決め片５５ｄが一対設けられている。これら位置決め片５５ｃ，５５ｄは平板部５５ａから係止片５５ｂと同様、９０°折り曲げられて形成されている。
【００４２】
接点ブラシ５１は中央に位置する取り付け部５１ａと、取り付け部５１ａの両端からそれぞれ延伸形成された各一対の脚部５１ｂとよりなり、全体として円弧形状をなすものとされている。取り付け部５１ａには取り付け穴５１ｃが２つ設けられており、各脚部５１ｂの先端には円弧状に曲げられた接点部５１ｄが形成されている。
【００４３】
メタルドーム５３はこの例では２段動作するものとされ、第１のドーム部５３ａと第２のドーム部５３ｂを有するものとされる。第１のドーム部５３ａは環状をなし、この第１のドーム部５３ａの内側に一対のブリッジ５３ｃを介して第２のドーム部５３ｂが位置されている。第２のドーム部５３ｂの中央には凸部５３ｄ（図５参照）が内面側に突出して形成されている。
【００４４】
次に、本体の組み立てについて、順に説明する。
（１）ケース３０の中央内部底面３１ａ上にメタルドーム５３を配置する。メタルドーム５３の第１のドーム部５３ａの周縁部は４つの接点電極８３上に搭載され、接点電極８３と当接して位置される。
（２）メタルドーム５３を位置決めするためのドームシート５４を図５に示したようにケース３０の円筒壁３３内に設けられている段部３４上に貼り付ける。ドームシート５４は片面に粘着剤を備えており、メタルドーム５３が位置する部分はドームシート５４によって蓋され、第２のドーム部５３ｂの中央部がドームシート５４に貼り付けられて位置決めされる。
（３）ケース３０の外周壁３２と円筒壁３３との間の空間にコイルバネ５２を２本収納する。コイルバネ５２は接点電極７１〜７６が形成されていない側において２つの突出壁３５間に収納される。
（４）接点ブラシ５１を取り付けた回転体４０をケース３０に取り付ける。接点ブラシ５１の取り付けは回転体４０のフランジ４３に形成されている一対のボス４７を接点ブラシ５１の取り付け穴５１ｃに挿通し、ボス４７の先端を熱かしめすることによって行われる。
【００４５】
回転体４０は円筒部４１がケース３０の円筒壁３３の外周に嵌め込まれて取り付けられ、円筒壁３３に対して回転自在に取り付けられる。円筒壁３３の先端面は図５に示したように、回転体４０のキートップ取り付け部４２の下端面（内端面）４２ｃと当接する。なお、回転体４０を取り付ける際、回転体４０の突部４５が２本のコイルバネ５２間に位置するように（挟み込まれるように）取り付ける。
【００４６】
図１０Ａは回転体４０が取り付けられた状態を、回転体４０の一部を切り欠いて示したものであり、２本のコイルバネ５２は回転体４０の突部４５と、突部４５を挟んでケース３０の外周壁３２の内周面の周方向２箇所に位置する突出壁３５との各間に、圧縮された状態でそれぞれ収容保持される。なお、コイルバネ５２の両端は突部４５及び突出壁３５には固定されず、単に圧接しているだけの状態となっている。
（５）カバー５５をケース３０に取り付ける。取り付けはケース３０の外周壁３２に形成されている係止爪３６に係止片５５ｂの係止窓５５ｆを係合させることによって行われる。カバー５５の位置決め片５５ｃ，５５ｄはケース３０の外周壁３２の外側面に当接し、外周壁３２を取り囲むように位置される。
【００４７】
カバー５５の装着により、回転体４０はフランジ４３が抜け止めされ、キートップ取り付け部４２はカバー５５の開口５５ｅに位置して外部に突出される。なお、回転体４０はフランジ４３及び突部４５の上面４３ａ，４５ａに設けられている３つの突起４６がカバー５５と当接する。
【００４８】
以上により、図４及び図５に示した回転スイッチの本体が完成する。
【００４９】
なお、上述した組み立てにおいてはケース３０にコイルバネ５２を収納した後、回転体４０をケース３０に取り付けているが、例えばケース３０に回転体４０を取り付けた後に
コイルバネ５２を組み込むこともできる。コイルバネ５２の組み込みは回転体４０の突部４５の両側に位置する切り欠き４４を使用し、切り欠き４４からコイルバネ５２をケース３０内に挿入することによって行う。この場合、回転体４０の突部４５がケース３０の一方の突出壁３５に近づくように回転体４０を例えばＣＣＷ方向に回転して保持し、突部４５の右側の切り欠き４４から１本目のコイルバネ５２を挿入し、次に回転体４０をＣＷ方向に回転して保持し、２本目のコイルバネ５２を突部４５の左側の切り欠き４４から挿入するようにすれば、コイルバネ５２の挿入を容易に行うことができる。
【００５０】
次に、キートップ６０の構成及びキートップ６０の本体への取り付けについて説明する。
【００５１】
キートップ６０は回転キー６１とプッシュキー６２とよりなり、図２Ａに示したように円形をなすプッシュキー６２は円形をなす回転キー６１の中央凹部６１ａ内に位置されている。
【００５２】
回転キー６１の上面周縁部には一対の切り欠き６１ｂが形成され、これら切り欠き６１ｂ間に回転操作を容易にするための突出部６１ｃが構成されている。回転キー６１の下面中央には図３に示したような形状を有する軸部６１ｄが突設されており、この軸部６１ｄの回りに十字をなすように４つのリブ６１ｅが形成され、さらに周方向において各リブ６１ｅ間に位置するように４つの係止片６１ｆが突出形成されている。各係止片６１ｆの先端には互いに外向きになるように係止爪６１ｇが形成されている。
【００５３】
プッシュキー６２の下面中央には軸６２ａが突設され、さらに軸６２ａの先端側に互いに１８０°をなして径方向に突出する係止突起６２ｂが突設されている。回転キー６１の凹部６１ａの底面にはこの係止突起６２ｂが挿通可能な略矩形形状（細長形状）の穴６１ｈが軸部６１ｄを含めて貫通形成されており、軸部６１ｄの先端面にはこの穴６１ｈの長手方向と直交する方向に係止部６１ｉが設けられている。
【００５４】
回転キー６１とプッシュキー６２の組み立ては回転キー６１の穴６１ｈに、プッシュキー６２の係止突起６２ｂを有する軸６２ａを挿通した後、軸６２ａを９０°回転させることによって行われ、これにより係止突起６２ｂが回転キー６１の係止部６１ｉに位置して抜け止めされる。
【００５５】
上記のようにして組み立てられたキートップ６０はその４つの係止片６１ｆを回転体４０のキートップ取り付け部４２の４つの凹部４９に位置させて押し込むことにより、凹部４９の段部４９ａに係止爪６１ｇが係止されて本体に取り付けられる。これにより、図１に示した回転スイッチが完成する。プッシュキー６２の軸６２ａの先端はメタルドーム５３上にドームシート５４を介して位置される。また、回転キー６１に設けられている軸部６１ｄは回転体４０のキートップ取り付け部４２内に収容され、リブ６１ｅはキートップ取り付け部４２の突出端面４２ａに形成されている溝４８に係合して位置決めされる。
【００５６】
次に、上記のような構成を有する回転スイッチの動作について説明する。
【００５７】
キートップ６０の回転キー６１を回転操作することにより回転体４０が回転し、接点ブラシ５１がケース３０の接点電極７１〜７６が形成されている内部底面３１ａ上を摺動し、スイッチ操作が行われる。
【００５８】
図１０Ｂは回転キー６１の回転操作により回転体４０が図１０Ａに示した中点位置から一方向（ＣＣＷ方向）に回転した状態を示したものであり、一方のコイルバネ５２は回転体４０の突部４５により押圧されて圧縮され、他方のコイルバネ５２は自由長まで伸張する。
【００５９】
回転キー６１の回転操作を解除すると、突部４５により圧縮されたコイルバネ５２の復元力により突部４５は押し戻され、回転体４０は図１０Ａに示した中点位置に復帰する。
【００６０】
回転キー６１の回転操作により回転体４０が他方向（ＣＷ方向）に回転された場合も同様であり、２本のコイルバネ５２のうち、一方は自由長まで伸張し、他方は圧縮される。
【００６１】
図１１は接点電極７１〜７６と、接点電極７１〜７６と摺接する接点ブラシ５１とで構成されているスイッチの動作を示したものである。
【００６２】
図１１Ａは回転体４０が図１０Ａに示した中点位置に位置している場合であり、接点ブラシ５１の４つの接点部５１ｄの接点Ｃ１〜Ｃ４（図では簡易的に点で示している）はいずれも接点電極７１〜７６と接触せず、ＯＦＦ状態となっている。
【００６３】
図１１Ｂは回転体４０が図１０Ｂと同様、ＣＣＷ方向に回転した場合を示したものであり、図１１ＣはＣＣＷ方向にさらに回転した場合を示したものである。図１１Ｂでは接点Ｃ１，Ｃ２は接点電極７２と接触し、接点Ｃ３，Ｃ４は接点電極７６と接触する。これにより、接点電極７２・７６間がＯＮとなる（導通する）。図１１Ｃでは図１１Ｂの状態から接点Ｃ１の接触する接点電極が変わり、接点電極７３と接触する状態となる。これにより、図１１Ｃでは接点電極７２・７６間，７３・７６間（７２・７３・７６間）がＯＮとなる。なお、回転体４０がＣＷ方向に回転した場合は、まず、接点電極７４・７１間がＯＮとなり、次に接点電極７４・７１間，７５・７１間がＯＮとなる。
【００６４】
一方、プッシュキー６２を押圧操作すると、軸６２ａによってメタルドーム５３が押され、これにより、まず第１のドーム部５３ａが反転し、第１のドーム部５３ａの内周部が接点電極８２と接触して接点電極８２・８３間がＯＮとなる。さらに、プッシュキー６２を押圧すると、第２のドーム部５３ｂが反転し、第２のドーム部５３ｂに設けられている凸部５３ｄが接点電極８１と接触する。これにより、接点電極８２・８３間，８１・８３間（８１・８２・８３間）がＯＮとなる。
【００６５】
プッシュキー６２の押圧を解除すると、メタルドーム５３は元の状態に復帰し、プッシュキー６２も押し上げられて元の位置に復帰する。
【００６６】
以上説明した実施例の回転スイッチの構成によれば、回転体４０の円筒部４１に設けた突部４５とケース３０の外周壁３２に設けた突出壁３５とで中点復帰用のコイルバネ５２を挟み込み、回転体４０の円筒部４１とケース３０の外周壁３２がそれぞれコイルバネ５２の内外周（内側及び外側の外形）を受ける構造となっているため、図１５及び図１６に示した従来例のようにコイルバネを収容固定するための専用の囲い（バネ取り付け部）をケースに設ける必要はなく、よって、その分、回転スイッチの小型化を図ることが可能となる。
【００６７】
なお、中点位置において回転体４０はその突部４５が２本の圧縮されたコイルバネ５２に挟まれて保持されるため、がたつくことはなく、中点位置での良好な安定性を得ることができる。
【００６８】
また、回転体４０が圧縮されたコイルバネ５２の復元力により回転位置から中点位置に復帰する際、もう一方の伸張しているコイルバネ５２と回転体４０の突部４５との圧接に伴う伸張しているコイルバネ５２の圧縮変形により、ダンパー効果を得ることができ、例えばコイルバネ５２と突部４５との接触音（衝突音）を低減することができる。
【００６９】
図１２は組み立て性を考慮した回転体の形状変更例を示したものであり、この例では突部４５の、ケース３０の内部底面３１ａと対向する下端側において両側面に傾斜面４５ｂを設け、下端側をくさび形状としたものとなっている。
【００７０】
突部４５の下端をこのようなくさび形状とすれば、回転体４０のケース３０への組み込みにおいて、ケース３０に収容されている２本のコイルバネ５２間に突部４５を挿入位置させる作業を容易に行うことができる。
【００７１】
図１３はコイルバネ５２を２本用いるのではなく、１本とした場合の回転体及びコイルバネの形状例を示したものであり、この例ではコイルバネ５２’は図１３Ｃに示したように第１コイル部５２ａと第２コイル部５２ｂが連結部５２ｃを介して連結された形状となっている。連結部５２ｃはコイルバネ５２’全長の中央に位置し、この例では図１３Ｃに示したようにループ５２ｄが一つ形成されている。
【００７２】
回転体４０の突部４５の下面（ケース３０の内部底面３１ａと対向する面）４５ｃは、この例では図１３Ａ，Ｂに示したように円筒部４１の下端面より上に位置し、この突部４５の下面４５ｃにはボス４５ｄが形成されている。コイルバネ５２’の連結部５２ｃのループ５２ｄはこのボス４５ｄに挿通され、連結部５２ｃは回転体４０の突部４５とケース３０の内部底面３１ａとの間に位置される。
【００７３】
第１及び第２コイル部５２ａ，５２ｂは図１０Ａにおける２本のコイルバネ５２と同様、回転体４０の突部４５とケース３０の２箇所の突出壁３５との各間にそれぞれ圧縮された状態で保持される。このように１本のコイルバネ５２’を用いる構成とすることもできる。なお、この例ではコイルバネ５２’は連結部５２ｃにループ５２ｄを有するものとなっているが、ループ５２ｄはなくてもよく、連結部５２ｃが例えば単なる直線状であってもよい。この場合、回転体４０の突部４５の下面４５ｃへのボス４５ｄの形成は不要となる。
【００７４】
なお、図１３Ｃ及び前述した図６，７ではコイルバネ５２’，５２はフリー状態（自由状態）で円弧形状をなすものとしているが、直線形状をなすものであってもよい。
【００７５】
次に、図１４Ａに示した構成について説明する。
【００７６】
図１４Ａは図１０Ａと同様、回転体４０の一部を切り欠いて示したものであり、この例ではケース３０の外周壁３２の内周面に突部４５’が突設され、突部４５’を挟んで回転体４０の円筒部４１の外周面の周方向２箇所に突出壁３５’が設けられた構造となっており、つまり突部と突出壁の、ケース３０及び回転体４０に対する形成が前述した例と逆になっている。
【００７７】
２本のコイルバネ５２は突部４５’と２箇所の突出壁３５’との各間に圧縮された状態でそれぞれ保持される。このような突部４５’，突出壁３５’の配置構成としても前述した例と同様の効果を得ることができる。図１４Ｂは図１０Ｂと同様、回転体４０が回転した状態を示したものである。なお、この図１４に示した構成においても図１３を参照して説明した例と同様、１本のコイルバネを用いる構成とすることもできる。
【符号の説明】
【００７８】
１１  ケース                          １１ａ  円筒壁
１１ｂ  外周壁                        １１ｃ  切り欠き部
１２  第１接点                        １２ａ  中央接点
１２ｂ  周辺接点                      １３  第２接点
１３ａ  コモン接点                    １３ｂ  信号用接点
１４  可動接点                        １５  駆動体
１５ａ  操作部                        １６  バネ取り付け部
１６ａ，１６ｂ  円弧状部              １６ｃ，１６ｄ，１６ｅ  １６ｆ  係止部
１７  コイルバネ                      １８  回転体
１８ａ  孔                            １８ｂ  操作突部
１８ｃ  突起                          １９  摺動子
２０  カバー                          ２０ａ  開口部
３０  ケース                          ３１  底板
３１ａ  内部底面                      ３２  外周壁
３３  円筒壁                          ３４  段部
３５，３５’  突出壁                  ３６  係止爪
４０  回転体                          ４１  円筒部
４１ａ  切り欠き                      ４２  キートップ取り付け部
４２ａ  突出端面                      ４２ｂ  内周面
４２ｃ  下端面                        ４３  フランジ
４３ａ  上面                          ４３ｂ  下面
４３ｃ  段部                          ４４  切り欠き
４５，４５’  突部                    ４５ａ  上面
４５ｂ  傾斜面                        ４５ｃ  下面
４５ｄ  ボス                          ４６  突起
４７  ボス                            ４８  溝
４９  凹部                            ４９ａ  段部
５１  接点ブラシ                      ５１ａ  取り付け部
５１ｂ  脚部                          ５１ｃ  取り付け穴
５１ｄ  接点部                        ５２，５２’  コイルバネ
５２ａ  第１コイル部                  ５２ｂ  第２コイル部
５２ｃ  連結部                        ５２ｄ  ループ
５３  メタルドーム                    ５３ａ  第１のドーム部
５３ｂ  第２のドーム部                ５３ｃ  ブリッジ
５３ｄ  凸部                          ５４  ドームシート
５５  カバー                          ５５ａ  平板部
５５ｂ  係止片                        ５５ｃ，５５ｄ  位置決め片
５５ｅ  開口                          ５５ｆ  係止窓
６０  キートップ                      ６１  回転キー
６１ａ  中央凹部                      ６１ｂ  切り欠き
６１ｃ  突出部                        ６１ｄ  軸部
６１ｅ  リブ                          ６１ｆ  係止片
６１ｇ  係止爪                        ６１ｈ  穴
６１ｉ  係止部                        ６２  プッシュキー
６２ａ  軸                            ６２ｂ  係止突起
７１〜７６，８１〜８３  接点電極      Ｃ１〜Ｃ４  接点
Ｔ  端子
【図１】
0005643675.tif 000002
【図２】
0005643675.tif 000003
【図３】
0005643675.tif 000004
【図４】
0005643675.tif 000005
【図５】
0005643675.tif 000006
【図６】
0005643675.tif 000007
【図７】
0005643675.tif 000008
【図８】
0005643675.tif 000009
【図９】
0005643675.tif 000010
【図１０】
0005643675.tif 000011
【図１１】
0005643675.tif 000012
【図１２】
0005643675.tif 000013
【図１３】
0005643675.tif 000014
【図１４】
0005643675.tif 000015
【図１５】
0005643675.tif 000016
【図１６】
0005643675.tif 000017